(57)【要約】【０００１】本発明は、光・電気複合コネクタに関し、より詳しくは、光コネクタと電気コネクタを一体化した構造を有する光・電気複合コネクタに関する。  具体的には、外部からプラグが装着されるレセプタクルハウジング（３）と、レセプタクルハウジングの背面側で送信側モジュール（１４）を収納する送信側モジュール収納部（８ｃ）と、レセプタクルハウジングの背面側で送信側モジュール収納部に隣設した位置に配置されて受信側モジュール（１１）を収納する受信側モジュール収納部（９ｃ）と、レセプタクルハウジングの背面側に突出する電気端子（６）と、受信側モジュール収納部と送信側モジュール収納部と電気端子とを包囲する一体化されたシールドケース（１６）とを有する。【選択図】図１
2007088863.tif 000002
【特許請求の範囲】
【請求項１】
外部からプラグが装着されるレセプタクルハウジングと、
前記レセプタクルハウジングの背面側で送信側モジュールを収納する送信側モジュール収納部と、
前記レセプタクルハウジングの前記背面側で前記送信側モジュール収納部に隣設した位置に配置されて受信側モジュールを収納する受信側モジュール収納部と、
前記レセプタクルハウジングの前記背面側に突出する電気端子と、
前記受信側モジュール収納部と前記送信側モジュール収納部と前記電気端子とを包囲する一体化されたシールドケースと
を有することを特徴とする光・電気複合コネクタ。
【請求項２】
前記シールドケースは、前記受信側モジュール収納部と前記送信側モジュール収納部とを電磁的にシールドするシールド壁を有することを特徴とする請求項１に記載の光・電気複合コネクタ。
【請求項３】
前記シールドケースは、前記受信側モジュール収納部と前記送信側モジュール収納部から前記電気端子を電磁的にシールドするシールド壁を有することを特徴とする請求項１に記載の光・電気複合コネクタ。
【請求項４】
前記受信側モジュール収納部は、前記送信側モジュール収納部に対して、前記レセプタクルハウジングの開口部側前方位置に配置されていることを特徴とする請求項１に記載の光・電気複合コネクタ。
【請求項５】
前記レセプタクルハウジング内において、前記受信側モジュールに光信号を伝搬する方向には筒状の第１のフェルール受け部が形成され、さらに前記送信側モジュールから光信号を伝搬させる方向には筒状の第２のフェルール受け部が形成されていることを特徴とする請求項１に記載の光・電気複合コネクタ。
【請求項６】
前記受信側モジュール収納部と前記送信側モジュール収納部において少なくとも一部は導電性樹脂により構成され、前記シールドケースは金属により構成されていることを特徴とする請求項１乃至請求項５のいずれか１つに記載の光・電気複合コネクタ。
【発明の詳細な説明】
【技術分野】
【０００１】
本発明は、光・電気複合コネクタに関し、より詳しくは、光コネクタと電気コネクタを一体化した構造を有する光・電気複合コネクタに関する。
【背景技術】
【０００２】
近年、車両では、カーナビゲーションシステムを用いて車両位置を地図上に表示したり、高度道路交通システム（ＩＴＳ）を利用して車両の渋滞状況を把握したりするなど、様々な情報を処理、管理する装置が搭載されている。
このような情報の処理に伴い、大容量の情報伝達方法として光ファイバを用いた光情報伝達が自動車等の車両内でも行われるようになってきている。光通信は、光送信モジュールから出力される光信号を光ファイバの一端に入射させ、さらにその他端に設けた光受信モジュールにより光信号を受信することにより伝搬される。【０００３】
光ファイバを光受信モジュールや光送信モジュールに接続するために光接続装置が用いられており、光接続装置は、光受信モジュール及び光送信モジュールを内蔵したコネクタと、コネクタのレセプタクルハウジングに差し込まれるプラグとからなる。そのプラグは、光ファイバの端部に取り付けられる。
また、車両内では、光情報だけでなく電気信号の処理、管理も行う必要があるために、光と電気の両方の接続機能を備えた光・電気複合コネクタが知られている。
光・電気複合コネクタとして、例えば下記の特許文献１〜３に記載されているように、レセプタクルハウジングの背面に光送信モジュールと光受信モジュールが取り付けられ、それらのモジュールの側方でレセプタクルハウジングの背面を貫通させる電気用端子が設けられた構造が知られている。【０００４】
特許文献１、２に記載の光・電気複合コネクタは、光送信モジュール、光受信モジュールの外周のみをシールドケースで包囲する構造を有し、これにより、光送信モジュールと光受信モジュールが外部に対して電磁的に遮蔽される。
また、特許文献３に記載の光・電気複合コネクタは、レセプタクルハウジング内において光コネクタ領域と電気コネクタ領域の間に導電性板状部材を配置する構造を有し、これにより、光コネクタ領域と電気コネクタ領域との間が電磁的に遮蔽される。その導電性板状部材は、レセプタクルハウジングの内部空間のみを仕切る構造となっている。
特許文献１：特開２００１−１６７８２８号公報
特許文献２：特開２００２−１９３０４４号公報
特許文献３：特開２００２−３６５４７５号公報
【発明の開示】
【発明が解決しようとする課題】
【０００５】
それらの光・電気複合コネクタは、光コネクタと電気コネクタを一体化したことから生じるそれらの間の電磁的結合を遮蔽し、また、光送受信モジュールを外部から電磁的に遮蔽する構造を有しているが、外部からの電磁ノイズに対する電気コネクタ領域の遮蔽が十分でなく電気コネクタ領域に電磁ノイズが入射し易い状態となっていた。
また、特許文献３に記載のようにレセプタクルハウジング内に導電性板状部材を配置することによって光送受信モジュールと電気コネクタの電磁的結合は遮蔽されるが、外部からの電磁ノイズに対しては遮蔽効果がなく、ノイズ特性がかえって悪化することがあるという問題が発生していた。
この原因として、電気コネクタ領域に外部からの電磁ノイズのほかに導電性板状部材により反射した電磁ノイズがさらにプラグに入射することが考えられる。
さらに、光・電気複合コネクタは、一般に通信・制御等に用いられる集積回路などが実装された回路基板上に実装されることが多いが、最近ではこれらの集積回路などから放射される電磁ノイズが、その周波数や電力レベルの点から無視できない状況となりつつある。【０００６】
本発明の目的は、外部からの電磁ノイズを従来よりもさらに抑制することができる光・電気複合コネクタを提供することにある。
【課題を解決するための手段】
【０００７】
上記の課題を解決するための本発明の第１の態様は、外部からプラグが装着されるレセプタクルハウジングと、前記レセプタクルハウジングの背面側で送信側モジュールを収納する送信側モジュール収納部と、前記レセプタクルハウジングの前記背面側で前記送信側モジュール収納部に隣設した位置に配置されて受信側モジュールを収納する受信側モジュール収納部と、前記レセプタクルハウジングの前記背面側に突出する電気端子と、前記受信側モジュール収納部と前記送信側モジュール収納部と前記電気端子とを包囲する一体化されたシールドケースとを有することを特徴とする光・電気複合コネクタである。【０００８】
本発明の第２の態様は、前記第１の態様において、前記シールドケースは、前記受信側モジュール収納部と前記送信側モジュール収納部とを電磁的にシールドするシールド壁を有することを特徴とする。【０００９】
本発明の第３の態様は、前記第１の態様において、前記シールドケースは、前記受信側モジュール収納部と前記送信側モジュール収納部から前記電気端子を電磁的にシールドするシールド壁を有することを特徴とする。【００１０】
本発明の第４の態様は、前記第１の態様において、前記受信側モジュール収納部が前記送信側モジュール収納部に対して、前記レセプタクルハウジングの開口部側前方位置に配置されていることを特徴とする。【００１１】
本発明の第５の態様は、前記第１の態様において、前記レセプタクルハウジング内において、前記受信側モジュールに光信号を伝搬する方向には筒状の第１のフェルール受け部が形成され、さらに前記送信側モジュールから光信号を伝搬させる方向には筒状の第２のフェルール受け部が形成されていることを特徴とする。【００１２】
本発明の第６の態様は、前記第１乃至第５の態様のいずれかにおいて、前記受信側モジュール収納部と前記送信側モジュール収納部において少なくとも一部は導電性樹脂により構成され、前記シールドケースは金属により構成されていることを特徴とする。
【発明の効果】
【００１３】
本発明によれば、光・電気複合コネクタにおいて、受信側モジュール収納部と送信側モジュール収納部と電気端子とをシールドケースにより一体化して包囲するようにしたので、たとえば光・電気複合コネクタを集積回路などが実装された回路基板上に実装したときに、レセプタクルハウジングの後方にある受信側モジュール、送信側モジュールおよび電気端子への電磁ノイズの外部からの侵入を防止することができる。
【図面の簡単な説明】
【００１４】
図１は、本発明の第１実施形態に係る光・電気複合コネクタを下から見た状態を示す断面図である。
図２は、本発明の第１実施形態に係る光・電気複合コネクタの側面図である。
図３は、本発明の第２実施形態に係る光・電気複合コネクタを下から見た状態を示す断面図である。
図４は、本発明の第３実施形態に係る光・電気複合コネクタを下から見た状態を示す断面図である。
図５は、本発明の第４実施形態に係る光・電気複合コネクタを下から見た状態を示す断面図である。
図６は、本発明の第５実施形態に係る光・電気複合コネクタを下から見た状態を示す断面図である。
図７は、本発明の第６実施形態に係る光・電気複合コネクタを下から見た状態を示す断面図である。
図８は、本発明の第７実施形態に係る光・電気複合コネクタを下から見た状態を示す断面図である。
図９は、本発明の第８実施形態に係る光・電気複合コネクタを下から見た状態を示す断面図である。
【符号の説明】
【００１５】
１：光・電気複合コネクタ
２：開口部
３：レセプタクルハウジング
４：プラグ接続スペース
５：端子固定部
６：電気端子
７：受信側光結合部
７ａ：第１のフェルール受け部
７ｂ：受信側モジュール結合部
８：送信側光結合部
８ａ：第２のフェルール受け部
８ｂ：送信側モジュール結合部
８ｃ：送信側モジュール収納部
９：受信側モジュール収納ソケット
１０：受信側封止体
１１：受信側モジュール
１２：送信側封止体
１３：レンズ
１４：送信側モジュール
１５：送信側ＩＣ
１６、２６、３６：シールドケース
１６ａ：光モジュールシールド部
１６ｂ：電気端子シールド部
１６ｃ：境界シールド部
１６ｄ、１６ｅ：シールド壁
１６ｆ：段差部
１６ｇ、１６ｈ：シールド壁
【発明を実施するための最良の形態】
【００１６】
以下に本発明の実施の形態を図面に基づいて詳細に説明する。
（第１の実施の形態）
図１は、本発明の第１実施形態に係る光・電気複合コネクタを下から見た断面図、図２は、本発明の第１実施形態に係る光・電気複合コネクタの側面図である。【００１７】
図１、図２に示した光・電気複合コネクタ１は、一端（正面）に開口部２を有するレセプタクルハウジング３を有し、レセプタクルハウジング３の内部には開口部２に通じるプラグ接続スペース４が形成されている。プラグ接続スペース４は、開口部２を通してプラグ３０が嵌入される形状となっている。【００１８】
レセプタクルハウジング３は、横方向に電気コネクタ領域と光コネクタ領域に分けられ、電気コネクタ領域の他端面（背面）には、肉厚の端子固定部５が後方に突出して設けられている。端子固定部５には、プラグ接続スペース４内部からレセプタクルハウジング３背面の外部に貫通する複数本の電気端子６が取り付けられている。
それらの電気端子６は、例えば上下左右に間隔をおいて４本配置されており、プラグ接続スペース４内ではプラグ３０のジャック部３３に差し込める長さと向きを有する一方、レセプタクルハウジング３背面の後方ではＬ字状に下方に曲げられてさらにレセプタクルハウジング３の底面より下に突出する形状を有している。【００１９】
また、レセプタクルハウジング３の光コネクタ領域の他端（背面）には、レセプタクルハウジング３の内部から外部にかけて、中空の受信側光結合部７と中空の送信側光結合部８がそれぞれ隣設して並列に形成されている。
受信側光結合部７の一端には、プラグ接続スペース４内でプラグ３０先端の第１の光ファイバ用フェルール３１を嵌入する大きさを持つ筒状の第１のフェルール受け部７ａが形成され、また、受信側光結合部７の他端には、内部が筒状の受信側モジュール結合部７ｂが形成されている。【００２０】
受信側モジュール結合部７ｂの後端の開口部には、導電性樹脂からなる受信側モジュール収納ソケット９が接続されている。受信側モジュール収納ソケット９の一端は、受信側モジュール結合部７ｂに嵌合するとともに受信側光結合部７内に伝搬される光信号を通過させる光通過孔９ａが形成された接続部９ｂを有している。また、受信側モジュール収納ソケット９の他端は、電気端子６の後方に位置するように横に張り出した受信側モジュール収納部９ｃを有している。【００２１】
受信側モジュール収納部９ｃの後端の開口部は、絶縁性樹脂又は導電性樹脂からなる受信側封止体１０により閉塞されており、受信側封止体１０のうち受信側モジュール収納部９ｃ内に向けられる面の上には、受信側モジュール１１が取り付けられている。受信側モジュール１１内には受光素子（不図示）が設けられており、受光素子はその受光面が受信側光結合部７内の光軸の延長上に位置する状態となるように配置される。また、受信側モジュール１１の下部には、図２に示すように、受信側モジュール収納ソケット９の下面を貫通して外部に突出する導電性端子１１ａが取り付けられている。【００２２】
送信側光結合部８の一端には、プラグ接続スペース４内でプラグ３０先端にある第２の光ファイバ用フェルール３２を嵌入する大きさを持つ筒状の第２のフェルール受け部８ａが形成され、また、送信側光結合部８の他端であってレセプタクルハウジング３の後方には、送信側モジュール結合部７ｂとほぼ同じ長さを有し且つ内部が筒状の送信側モジュール結合部８ｂが形成されている。送信側モジュール結合部８ｂ内にある光通過孔にはレンズ１３が嵌め込まれている。
送信側モジュール結合部８ｂの後端には、送信側モジュール１４を収納する送信側モジュール収納部８ｃが受信側光結合部７と反対側に張り出した部分を有して形成されている。【００２３】
送信側モジュール収納部８ｃの後端には開口部が形成され、その開口部は、絶縁性樹脂又は導電性樹脂からなる送信側封止体１２により閉塞されている。送信側封止体１２のうち送信側モジュール収納部８ｂ内に向けられる面の上には送信側モジュール１４が取り付けられている。送信側モジュール１４には発光素子（不図示）が内蔵され、その発光素子の発光面が送信光結合部８内の光軸の延長上に位置する状態となるように送信側モジュール１４が配置される。また、送信側モジュール１４には、送信側光結合部８の下面を貫通して突出する導電性端子１４ａが取り付けられている。さらに、送信側モジュール１４には、電気信号を光信号に変換する送信側ＩＣ１５が内蔵されている。【００２４】
送信側モジュール収納部８ｃの後端は受信側モジュール収納部９ｃの後端と前後方向で同じ位置に並んでいる。これにより、送信側モジュール収納部８ｃと受信側モジュール収納部９ｃのそれぞれの後端開口部を閉塞する送信側封止体１２と受信側封止体１０は、前後方向で実質的に同じ位置となるように並んで取り付けられる。【００２５】
なお、第１のフェルール受け部７ａ及び受信側モジュール結合部７ｂを備えた受信側光結合部７と、第２のフェルール受け部８ａ、送信側モジュール結合部８ｂ及び送信側モジュール収納部８ｃを備えた送信側光結合部８は、それぞれレセプタクルハウジング３、端子固定部５とともに絶縁性樹脂により一体的に形成されている。絶縁性樹脂として例えばガラスフィラー入りのポリブチレンテレフタレート（ＰＢＴ）がある。
なお、上記した導電性樹脂として、例えばカーボンフィラー入りのＰＢＴがある。【００２６】
レセプタクルハウジング３のプラグ接続スペース４の後方にある送信側モジュール結合部８ｂ、送信側モジュール収納部８ｃ、受信側モジュール収納部９ｃ及び電気端子６の外面は前面及び下面を除いて連続的に金属製のシールドケース１６により覆われ、包囲されている。
シールドケース１６の光モジュールシールド部１６ａは、送信側モジュール収納部８ｃと受信側モジュール収納部９ｃのそれぞれの上面、側面、背面を覆うとともに、送信側モジュール収納部８ｃのうち側方に突出した部分の前面を覆っている。また、シールドケース１６の電気端子シールド部１６ｂは、電気端子６の周囲のうち受信側モジュール結合部７ｂ及び受信側モジュール収納部９ｃに囲まれない部分と下方とを除いて、電気端子６を側方、後方及び上方から間隔をおいて覆っている。さらに、シールドケース１６のモジュール結合領域シールド部１６ｃは、送信側モジュール結合部８ｂと受信側モジュール結合部７ｂの上面及び送信側モジュール結合部８ｂの側面を覆っている。【００２７】
光モジュールシールド部１６ａと電気端子シールド部１６ｂとモジュール結合領域シールド部１６ｃは、例えば、黄銅の金属板を折り曲げて加工された箱状のものであり、電磁的に繋がっている。
なお、図１、図２において符号１８は、レセプタクルハウジング３の背面中央付近に形成された位置決めピン、１９は、レセプタクルハウジング３の一方の側面から前方に突出するガイド片、２０は、レセプタクルハウジング３の両側面から側方に突出するネジ止め固定部、２１は、ネジ止め固定部２０に形成されたネジ孔をそれぞれ示している。【００２８】
以上のような構成を有する光・電気複合コネクタ１は、図２に示すように、集積回路（ともに不図示）などが実装された回路基板３５上に取り付けられる。そして、プラグ３０を光・電気複合コネクタ１に接続する場合には、プラグ３０の先端の側部をレセプタクルハウジング３正面のガイド片１９に当てながらプラグ３０をレセプタクルハウジング３のプラグ接続スペース４に押し込むと、図１の二点鎖線に示すように、プラグ３０のジャック部３３には電気端子６の一端が差し込まれ、さらに、第１の光ファイバ用フェルール３１が第１のフェルール受け部７ａに嵌入され、第２の光ファイバ用フェルール３２が第２のフェルール受け部８ａに嵌入される。【００２９】
これにより、回路基板３５上の電気部品（不図示）は、電気端子６とジャック３３と回路基板３５上の配線（不図示）を介して外部と電気的に接続できる状態になる。また、第１の光ファイバ用フェルール３１を通った光信号は受信側光結合部７の中を伝搬して受信側モジュール１１の受光素子に入力できる状態となり、さらに、送信側モジュール１４から出力される光信号は、送信側光結合部８内を伝搬して第２の光ファイバ用フェルール３２に入力可能な状態になる。【００３０】
そのような状態において、金属から形成されたシールドケース１６は、レセプタクルハウジング３の後方の下側と前側を除いて、受信側光結合部７、送信側光結合部８、受信側モジュール収納ソケット９、受信側モジュール１１、送信側モジュール１４及び電気端子６を含む領域を外側周囲から全体的に覆う構造となっている。これにより、回路基板３５、その他の外部からの電磁的なノイズが受信側モジュール１１に入射することを妨げるので、受信側モジュール１１の外部ノイズによる誤動作を防止することができる。【００３１】
また、金属製のシールドケース１６は、受信側モジュール１１、送信側モジュール１４を周囲及び上方から包囲し、さらに、レセプタクルハウジング３の後方にある電気端子６の外周及び上方を包囲しているので、受信側モジュール１１、送信側モジュール１４及び電気端子６を外部の電磁ノイズから遮蔽する。これにより、レセプタクルハウジング３のプラグ接続スペース４の後にある受信側モジュール１１、送信側モジュール１４及び電気端子６への回路基板３５、その他の外部からの電磁的なノイズの侵入が防止され、内部での電磁ノイズの反射が未然に防止される。
さらに、レセプタクルハウジング３の後方で電気端子６を外から囲む電気端子シールド部１６ｂは、受信側モジュール収納部９ｃとともに外部からの異物の侵入を阻止する機能も有する。【００３２】
また、受信側モジュール収納ソケット９及び受信側封止体１０は、光通過孔９ａ及びその周辺を除いて受信側モジュール１１を包囲しているので、受信側モジュール収納ソケット９及び受信側封止体１０を導電性樹脂により形成すると、受信側モジュール１１はシールドケース１６、受信側モジュール収納ソケット９及び受信側封止体１０によって外部から電磁的に遮蔽されることになる。これにより、回路基板３５、その他の外部からの電磁的なノイズが受信側モジュール１１に入射することを妨げるので、受信側モジュール１１の外部ノイズによる誤動作をさらに効果的に防止することができる。【００３３】
ところで、受信側モジュール収納ソケット９及び封止体１０を導電性樹脂により形成した場合、これらと金属からなるシールドケース１６はそれぞれ電磁的な遮蔽が目的であるが、それらの構成材料が相違するためにノイズの周波数帯により遮蔽効果が異なる。即ち、導電性樹脂からなる受信側モジュール収納ソケット９及び受信側封止体１０は比較的低周波側、例えば１００ＭＨｚ以下の電磁的遮蔽に用いられ、金属製のシールドケース１６は比較的高周波側、例えば４００ＭＨｚ以上の電磁的遮蔽に用いられる。従って、受信側モジュール収納ソケット９及び受信側封止体１０の配置領域とシールドケース１６の配置領域が重なる領域では、それらの遮蔽効果が重畳することになる。【００３４】
なお、上記の例においては受信側モジュール１１の周囲を導電性樹脂で包囲した構造になっているが、送信側モジュール１４又は受信側モジュール１１の一方又は双方の周囲を導電性樹脂で包囲した構造にしてもよい。また、比較的低周波側の電磁的遮蔽が重要でない場合などには、送信側モジュール１４及び受信側モジュール１１の双方の周囲を絶縁性樹脂で包囲した構造にしてもよい。【００３５】
（第２の実施の形態）
図３は、本発明の第２実施形態に係る光・電気複合コネクタを下から見た断面図である。図３において、図１と同一符号は同一要素を示している。
図３において、光・電気複合コネクタ１は、第１実施形態と同じ構成のレセプタクルハウジング３、端子固定部５、電気端子６、受信側光結合部７、送信側光結合部８、受信側モジュール収納ソケット９、受信側封止体１０、受信側モジュール１１、送信側封止体１２、送信側レンズ１３、送信側モジュール１４、シールドケース１６、位置決めピン１８、ガイド片１９、ネジ止め固定部２０等を有している。【００３６】
シールドケース１６は、第１実施形態と同様に、光モジュールシールド部１６ａと電気端子シールド部１６ｂとモジュール結合領域シールド部１６ｃを有する他に、レセプタクルハウジング３の背面側であって受信側光結合部７と送信側光結合部８の間に嵌め込まれた黄銅等の金属よりなる第１のシールド壁１６ｄを有している。第１のシールド壁１６ｄは、光モジュールシールド部１６ａ、電気端子シールド部１６ｂ及びモジュール結合領域シールド部１６ｃに電磁的に接続されている。
第１のシールド壁１６ｄは、送信側モジュール１４内の送信側ＩＣ１５からレセプタクルハウジング３内の電気端子１６への電磁ノイズを遮蔽する形状及び大きさを有している。【００３７】
なお、第１のシールド壁１６ｄは、金属板を成形することにより光モジュールシールド部１６ａ等と一体に形成してもよいし、或いは別々に形成してもよい。
上記構造の光・電気複合コネクタ１によれば、第１実施形態と同様に、レセプタクルハウジング３のプラグ接続スペース４の後方にある受信側モジュール１１、送信側モジュール１４及び電気端子６への電磁ノイズの外部からの侵入がシールドケース１６によって遮蔽される。【００３８】
しかも、受信側光結合部７と送信側光結合部８の間にある第１のシールド壁１６ｄは、送信側モジュール１４内の送信側ＩＣ１５から電気端子６に放射される電磁ノイズを遮蔽するので、シールドケース１６とともに電気端子６への電磁ノイズを十分に遮蔽することが可能になる（図３の矢印）。さらに、第１のシールド壁１６ｄは送信側モジュール１４と受信側モジュール１５の相互間を電磁的にシールドすることができる。
なお、送信側ＩＣ１５からの電磁ノイズが回路基板３５から放射される電磁ノイズより十分小さい場合には、第１実施形態に示したように第１のシールド壁１６ｄを設けなくてもよい。【００３９】
（第３の実施の形態）
図４は、本発明の第３実施形態に係る光・電気複合コネクタを下から見た断面図である。図４において、図１と同一符号は同一要素を示している。
図４において、光・電気複合コネクタ１は、第１実施形態と同じ構成を有するレセプタクルハウジング３、端子固定部５、電気端子６、受信側光結合部７、送信側光結合部８、受信側モジュール収納ソケット９、受信側封止体１０、受信側モジュール１１、送信側封止体１２、送信側レンズ１３、送信側モジュール１４、シールドケース１６、位置決めピン１８、ガイド片１９、ネジ止め固定部２０等を有している。【００４０】
シールドケース１６は、第１実施形態と同様に光モジュールシールド部１６ａ、電気端子シールド部１６ｂ、モジュール結合領域シールド部１６ｃを有する他に、受信側モジュール収納部９ｃのうち側方に突出した部分の前面と受信側モジュール結合部７ｂの側面とを連続して覆う第２のシールド壁１６ｅを有している。【００４１】
光モジュールシールド部１６ａ、電気端子シールド部１６ｂ、モジュール結合領域シールド部１６ｃ及び第２のシールド壁１６ｅは、例えば、黄銅の金属板を折り曲げて加工された箱状のものであって電磁的に繋がっている。これにより、電気端子６は、第２のシールド部１６ｃと電気端子シールド部１６ｂによって前方及び下方を除いて包囲された状態となって外部から電磁的に遮蔽されるとともに受信側モジュール１１、送信側モジュール１４から電磁的に遮蔽された状態になる。【００４２】
上記構造の光・電気複合コネクタ１によれば、第１実施形態と同様に、レセプタクルハウジング３の後方にある受信側モジュール１１、送信側モジュール１４及び電気端子６への外部からの電磁ノイズの侵入がシールドケース１６によって遮蔽される。
しかも、受信側モジュール収納部９ｃのうち側方に突出した部分の前面と受信側モジュール結合部７ｂの側面とを覆う第２のシールド壁１６ｅは、送信側モジュール１４、受信側モジュール１５から放射される電磁ノイズから電気端子６を遮蔽することが可能になる。【００４３】
（第４の実施の形態）
図５は、本発明の第４実施形態に係る光・電気複合コネクタを下から見た断面図である。図５において、図１、図３、図４と同一符号は同一要素を示している。
図５において、光・電気複合コネクタ１は、第１実施形態と同じ構成を有するレセプタクルハウジング３、端子固定部５、電気端子６、受信側光結合部７、送信側光結合部８、受信側モジュール収納ソケット９、受信側封止体１０、受信側モジュール１１、送信側封止体１２、送信側レンズ１３、送信側モジュール１４、シールドケース１６、位置決めピン１８、ガイド片１９、ネジ止め固定部２０等を有している。【００４４】
シールドケース１６は、第１実施形態と同様に光モジュールシールド部１６ａと電気端子シールド部１６ｂとモジュール結合領域シールド部１６ｃを有する他に、第２実施形態と同様に受信側光結合部７と送信側光結合部８の間に嵌め込まれる第１のシールド壁１６ｄと、第３実施形態と同様に受信側モジュール収納部９ｃのうち側方に突出した部分の前面と受信側モジュール結合部７ｂの側面とを覆う第２のシールド壁１６ｅとを有している。【００４５】
そのようなシールドケース１６を有する光・電気複合コネクタにおいて、送信側モジュール１４、受信側モジュール１５から電気端子６へ放射されるおそれのある電磁ノイズを第１、第２のシールド壁１６ｄ、１６ｅによって遮蔽して電気端子６への電磁ノイズの侵入を防止することが可能になる。また、第１のシールド壁１６ｄによって送信側モジュール１４と受信側モジュール１５の相互間を電磁的にシールドすることができる。
さらに、上記のシールドケース１６によれば、レセプタクルハウジング３の後方において、受信側モジュール１１及び送信側モジュール１４、電気端子６への外部からの電磁ノイズの侵入を各々個別に遮蔽することができる。【００４６】
（第５の実施の形態）
図６は、本発明の第５実施形態に係る光・電気複合コネクタを下から見た断面図である。図６において、図１と同一符号は同一要素を示している。
図６において、光・電気複合コネクタ１は、第１実施形態と同じ構造のレセプタクルハウジング３、端子固定部５、電気端子６を有している。また、レセプタクルハウジング３の背面には、前後方向に延在する受信側光結合部７及び送信側光結合部８がそれぞれ隣接して並列に形成されている。【００４７】
受信側光結合部７は、第１実施形態と同様に、レセプタクルハウジング３の内側に形成された筒状の第１のフェルール受け部７ａと、レセプタクルハウジング３の背面より後に形成された筒状の受信側モジュール結合部７ｂとを有している。また、受信側モジュール結合部７ｂの後部の開口部には、第１実施形態と同様に、受信側モジュール１１を収容する受信側モジュール収納ソケット９の接続部９ｂが接続され、その光通過孔９ａの軸が受信側光結合部７の内部の軸と一致するように取り付けられる。さらに、受信側モジュール収納ソケット９の受信側モジュール収納部９ｃ内には受信側モジュール１１が取り付けられ、また、その後端の開口部には受信側封止体１０が嵌め込まれている。【００４８】
送信側光結合部８は、プラグ接続スペース４内でプラグ先端にある第２の光ファイバ用フェルール３２を嵌入する大きさを持つ筒状の第２のフェルール受け部８ａが一端に形成され、また、他端にはレセプタクルハウジング３の後方で送信側モジュール１４を収納する送信側モジュール収納部８ｃが形成されている。送信側モジュール収納部８ｃは受信側モジュール収納部９ｃに対して、レセプタクルハウジングの開口部２側、前方の位置に配置され、その後部の開口には送信側封止体１２が嵌め込まれている。
そのような構造の送信側モジュール収納部８ｃの後端と受信側モジュール収納部９ｃの後端との間には段差が生じている。【００４９】
受信側モジュール収納部８ｃと受信側モジュール収納ソケット９及び電気端子６は、第１実施形態と同様に、レセプタクルハウジング３の後方でシールドケース１６に包囲されている。シールドケース１６は、第１実施形態に示した構造に加えて、送信側モジュール収納部８ｃと受信側モジュール収納部９ｃの間の段差に合わせた形状の段差部１６ｆを有している。また、シールドケース１６は、送信側モジュール収納部８ｃの前部の溝に嵌め込まれて斜め前方をシールドする嵌め込み部１６ｋを有している。
なお、図６において、図中符号１７は、シールドケース１６を外側から押さえる枠体を示している。【００５０】
以上のようなシールドケース１６を有する光・電気複合コネクタにおいて、絶縁性樹脂または導電性樹脂からなる受信側モジュール収納ソケット９及び受信側封止体１０は、第１実施形態と同様に、光通過孔９ａ及びその周辺を除いて受信側モジュール１１を包囲している。受信側モジュール収納ソケット９及び受信側封止体１０が導電性樹脂により形成されている場合には、回路基板３５、その他の外部からの電磁的なノイズが受信側モジュール１１に入射することを遮るので、受信側モジュール１１の外部ノイズによる誤動作を防止することができる。【００５１】
金属から形成されたシールドケース１６は、レセプタクルハウジング３の後方の下側と前側を除いて、受信側光結合部７、送信側光結合部８、受信側モジュール収納ソケット９、受信側モジュール１１、送信側モジュール１４及び電気端子６を含む領域を外側周囲から覆う構造となっている。また、金属製のシールドケース１６は、受信側モジュール１１、送信側モジュール１４を周囲及び上方から包囲し、さらに、レセプタクルハウジング３の後方にある電気端子６を一側方及び上方から包囲しているので、受信側モジュール１１、送信側モジュール１４、電気端子６を外部ノイズから遮蔽することができる。【００５２】
しかも、受信側モジュール収納部９ｃに対して送信側モジュール収納部８ｃが前方の位置となり、受信側モジュール収納部９ｃの側面と送信側モジュール収納部８ｃの背面を覆うシールドケース１６の段差部１６ｆは、受信側モジュール収納部９ｃ内の受信側モジュール１１と送信側モジュール収納部８ｃ内の送信側モジュール１４の間を電磁的に遮蔽するので、互いの電磁的ノイズの影響を防止することができる。
これにより、レセプタクルハウジング３のプラグ接続スペース４の後にある受信側モジュール１１、送信側モジュール１４及び電気端子６への回路基板３５等の外部からの電磁ノイズの侵入が防止され、内部での電磁ノイズの反射が未然に防止される。【００５３】
（第６の実施の形態）
図７は、本発明の第６実施形態に係る光・電気複合コネクタを下から見た断面図である。図７において、図６と同一符号は同一要素を示している。
図７において、光・電気複合コネクタ１は、第５実施形態と同じ構成を有するレセプタクルハウジング３、端子固定部５、電気端子６、受信側光結合部７、送信側光結合部８、受信側モジュール収納ソケット９、受信側封止体１０、受信側モジュール１１、送信側封止体１２、送信側レンズ１３、送信側モジュール１４、シールドケース１６、枠体１７、位置決めピン１８、ガイド片１９、ネジ止め固定部２０等を有している。【００５４】
さらに、レセプタクルハウジング３の背面側であって受信用光結合部７と送信用光結合部８の間の溝には、黄銅等の金属よりなる第１のシールド壁１６ｇが嵌め込まれており、第１のシールド壁１６ｇはシールドケース１６に電磁的に接続されている。第１のシールド壁１６ｇは、送信側モジュール１４内の送信側ＩＣ１５から電気端子１６への電磁ノイズを遮蔽する形状及び大きさを有している。【００５５】
上記構造の光・電気複合コネクタ１によれば、第１実施形態と同様に、レセプタクルハウジング３のプラグ接続スペース４の後方にある受信側モジュール１１、送信側モジュール１４及び電気端子６への電磁ノイズの外部からの侵入がシールドケース１６によって遮られる。
しかも、受信用光結合部７と送信用光結合部８の間にある第１のシールド壁１６ｇは、送信側モジュール１４内の送信側ＩＣ１５からプラグ接続スペース４内の電気端子６に放射される電磁ノイズ（図７の矢印）を遮蔽するので電気端子６への電磁ノイズを十分に遮蔽することが可能になる。【００５６】
（第７の実施の形態）
図８は、本発明の第７実施形態に係る光・電気複合コネクタを下から見た断面図である。図８において、図６と同一符号は同一要素を示している。
図８において、光・電気複合コネクタ１は、第５実施形態と同じ構成を有するレセプタクルハウジング３、端子固定部５、電気端子６、受信側光結合部７、送信側光結合部８、受信側モジュール収納ソケット９、受信側封止体１０、受信側モジュール１１、送信側封止体１２、送信側レンズ１３、送信側モジュール１４、シールドケース１６、枠体１７、位置決めピン１８、ガイド片１９、ネジ止め固定部２０等を有している。【００５７】
また、シールドケース１６は、第５実施形態と同様に光モジュールシールド部１６ａと電気端子シールド部１６ｂとモジュール結合領域シールド部１６ｃを有する他に、レセプタクルハウジング３の背面側であって受信側モジュール収納部９ｃのうち側方に突出した部分の前面と受信側モジュール結合部７ｂの側面とを覆う第２のシールド壁１６ｈを有している。【００５８】
光モジュールシールド部１６ａ、電気端子シールド部１６ｂ、結合部シールド部１６ｃ、第２のシールド壁１６ｈは、例えば、黄銅の金属板を折り曲げて加工された箱状のものであり、電磁的に繋がっている。
上記構造の光・電気複合コネクタ１によれば、第５実施形態と同様に、レセプタクルハウジング３のプラグ接続スペース４の後方にある受信側モジュール１１、送信側モジュール１４及び電気端子６に回路基板３５等の外部から電磁ノイズの侵入がシールドケース１６によって遮蔽される。
また、受信側モジュール収納部９ｃのうち側方に突出した部分の前面と受信側モジュール結合部７ｂの側面とを覆う第２のシールド壁１６ｈは、送信側モジュール１４、受信側モジュール１５から放射される電磁ノイズから電気端子６を遮蔽することが可能になる。【００５９】
（第８の実施の形態）
図９は、本発明の第８実施形態に係る光・電気複合コネクタを下から見た断面図である。図９において、図６、図７、図８と同一符号は同一要素を示している。
図９において、光・電気複合コネクタ１は、第１実施形態と同じ構成を有するレセプタクルハウジング３、端子固定部５、電気端子６、受信側光結合部７、送信側光結合部８、受信側モジュール収納ソケット９、受信側封止体１０、受信側モジュール１１、送信側封止体１２、送信側レンズ１３、送信側モジュール１４、シールドケース１６、位置決めピン１８、ガイド片１９、ネジ止め固定部２０等を有している。【００６０】
シールドケース１６は、第５実施形態と同様に光モジュールシールド部１６ａと電気端子シールド部１６ｂとモジュール結合領域シールド部１６ｃを有する他に、第６実施形態と同様に受信側光結合部７と送信側光結合部８の間に嵌め込まれる第１のシールド壁１６ｇと、第７実施形態と同様に受信側モジュール収納部９ｃのうち側方に突出した部分の前面と受信側モジュール結合部７ｂの側面とを覆う第２のシールド壁１６ｈとを有している。【００６１】
そのようなシールドケース１６を有する光・電気複合コネクタにおいて、送信側モジュール１４、受信側モジュール１５から電気端子６へ放射される電磁ノイズを第１、第２のシールド壁１６ｇ、１６ｈにより遮蔽して電気端子６への電磁ノイズの侵入を防止することが可能になる。
さらに、上記のシールドケース１６によれば、レセプタクルハウジング３の後方において、受信側モジュール１１及び送信側モジュール１４、電気端子６への外部からの電磁ノイズの侵入を各々個別に遮蔽することができる。【００６２】
なお、本発明に係る光・電気複合コネクタの実施形態は、前述の各実施形態に限られないことはいうまでもない。たとえば、回路基板３５上の集積回路などの配置によっては、レセプタクルハウジング３の側面などにシールドケース１６を延長するように設けてもよい。
【産業上の利用可能性】
【００６３】
本発明の目的は、外部からの電磁ノイズを従来よりもさらに抑制することができる光・電気複合コネクタを提供することにある。
【図１】
2007088863.tif 000003
【図２】
2007088863.tif 000004
【図３】
2007088863.tif 000005
【図４】
2007088863.tif 000006
【図５】
2007088863.tif 000007
【図６】
2007088863.tif 000008
【図７】
2007088863.tif 000009
【図８】
2007088863.tif 000010
【図９】
2007088863.tif 000011
【国際調査報告】
2007088863.tif 000012
2007088863.tif 000013
2007088863.tif 000014
2007088863.tif 000015